(57)【要約】【課題】  取り付けても壁面の外観を損なうことなく、石膏ボードなどの脆い壁面に対してもしっかりと取り付けることができる壁掛け具を提供することができる。【解決手段】    弾性板材を略Ｕ字状に折り曲げて一対の挟持片１により挟持可能に形成される挟持具２と、ステープラ針３を打ち込み可能な程度の薄肉の弾性材料により形成され、前記挟持片１の連結基端部４に係止して挟持具２を保持する取付部材５とを有して構成する。【選択図】  図２
2007069458.tif 000002
【特許請求の範囲】
【請求項１】
弾性板材を略Ｕ字状に折り曲げて一対の挟持片により挟持可能に形成される挟持具と、
ステープラ針を打ち込み可能な程度の薄肉の弾性材料により形成され、前記挟持片の連結基端部に係止して挟持具を保持する取付部材とを有する壁掛け具。
【請求項２】
前記取付部材は板状に形成されて辺縁近傍に挟持片の一方が挿入される挟持片挿入開口が開設され、
前記挟持具は取付部材の辺縁部に揺動自在に保持される請求項１記載の壁掛け具。
【請求項３】
前記挟持片の挟持面側には半球状に膨隆する挟み部が形成される請求項１または２記載の壁掛け具。
【発明の詳細な説明】
【技術分野】
【０００１】
本発明は、壁掛け具に関するものである。
【背景技術】
【０００２】
壁面にメモ用紙等を傷つけることなく簡単に何度も掛けたり外したりできるようにするために、従来においては、例えば、特許文献１に記載されるように、クリップを壁面に取り付けることが一般に行われている。この従来例において、クリップはいわゆる目玉クリップであり、壁面への取り付けは、壁面に打ち込まれた釘等に対して目玉クリップのつまみに形成された孔を係止させることによりなされる。メモ用紙などを壁に掛ける際には、目玉クリップのつまみを操作する。
【特許文献１】特開２００１-４７７７９号公報
【発明の開示】
【発明が解決しようとする課題】
【０００３】
しかしながら、上記従来例のようにクリップを壁面に対して取り付けるために釘等を壁面に打ち付けてしまうと、壁面には釘等の打ち込みによって、大きな釘穴が空いてしまう。このため、例えば賃貸マンション等において引っ越すときなどクリップを壁面から取り外して部屋を現状復帰する際には、上記釘穴によって壁面の外観が損ねられ、補修等が必要になってしまう。
【０００４】
また、メモ用紙などを壁に掛けるために目玉クリップのつまみを操作したり、あるいは目玉クリップ自体を釘等に対して掛けなおしたりすると、釘等に対しても力が加わってしまい、壁材が石膏ボードなどの脆いものの場合には上記釘穴がさらに拡大し、釘等が抜けやすくなってしまう。
【０００５】
本発明は、以上の欠点を解消すべくなされたものであって、取り付けても壁面の外観を損なうことなく、石膏ボードなどの脆い壁面に対してもしっかりと取り付けることができる壁掛け具の提供を目的とする。
【課題を解決するための手段】
【０００６】
そこで本発明によれば上記目的は、
弾性板材を略Ｕ字状に折り曲げて一対の挟持片１、１により挟持可能に形成される挟持具２と、
ステープラ針３を打ち込み可能な程度の薄肉の弾性材料により形成され、前記挟持片１の連結基端部４に係止して挟持具２を保持する取付部材５とを有する壁掛け具６により達成される。
【０００７】
本発明によれば、壁掛け具６の壁面１２への取り付けは、挟持具２を連結した取付部材５を貫通あるいは、これに係止してステープラ針３を壁面１２に打ち込むことにより行われる。固定作業は、ステープラ針３の打ち込み器具であるステープラを介して行われるため作業が容易、安全になる。また、ステープラ針３は線径が細く壁面１２に打ち込んでも目立つような穴ができず取り外し後の壁面１２の外観を損ねない。石膏ボードなどの脆い壁面１２に打ち込む場合、ステープル針３はコ字状の構造をなしているので１つのステープル針３で２ケ所に支持過重を分散することができ、変形に対する強度も高い。  
【０００８】
なお、本発明において使用されるステープラ針３としては、ＪＩＳ（日本工業規格）においてステープラ用つづり針の１０号が望ましく、この場合、横幅すなわち、ステープラ針肩３ａの幅が９．４８ｍｍ程度、高さすなわち、ステープラ針脚３ｂの長さが４．８ｍｍ程度であり、また、ステープラ針肩３ａ等の奥行き寸法が０．５ｍｍ程度、厚さが０．３ｍｍ程度である。
【０００９】
上記取付部材５は、ステープラ針３が打ち込み可能な程度、すなわちステープラ針３が貫通可能な程度の柔らかさ、薄さを有したもの、例えばシート状の塩化ビニルなどの薄肉の合成樹脂材で形成することが可能で、この場合には加工もし易く安価である。また、取付部材５に対して複数のステープラ針３、３・・を打ち込めば、取付部材５を介して複数のステープラ針３、３・・で協働して荷重を支えることができ、壁面１２における各ステープラ針３が打ち込まれる部位近傍の荷重負担も軽減され、より保持強度を高めることができる。
【００１０】
挟持具２は、弾性板材を略Ｕ字状に折り曲げて形成され、一対の挟持片１、１により例えばカレンダーや定規などの壁掛け対象物１３を挟み付けて保持する。上述したように壁面１２に取り付けられた取付部材５による壁面１２への挟持具２の固定は、一対の挟持片１、１の連結基端である連結基端部４に取付部材５を係止させることにより、取付部材５から挟持具２を吊り下げることによって行われる。このため、取付部材５と挟持具２の組み付けを簡単に行うことができ、また、組み付けを解除することも可能であるために、例えばステープラ針３の打ち込みによって形成される穴によって強度が低下した取付部材５を交換することもできる。
【００１１】
さらに、挟持片１の挟持面側、すなわち挟持片１の壁掛け対象物１３を挟持する内側の面に半球状に膨隆する挟み部９を形成した場合には、壁掛け対象物１３の挟持片１、１間への押し込みにより挟み部９の球面を壁掛け対象物１３で徐々に押動することによって挟持片１、１の間隔を押し広げることができ、したがって壁掛け対象物１３の挟み付け作業を容易にすることができる。また、挟持片１、１間は半球状の挟み部９の頂部の接触により点接触状態になるために、上記壁掛け対象物１３による挟持片１、１の間隔を開くための押し込み方向の融通性が高い。加えて、上述したように壁掛け対象物１３の挟持具２に押し込むことで壁掛けできるため、挟持させたり挟持を解除したり操作するためのつまみなどの構造を必要としないため、構造が簡単になる上、壁面１２からの突出寸法も小さい。
【００１２】
また、取り付け、取り外し時や使用時に挟持具２に対して剥がされるような回転力が加わっても、図３（ｂ）に示すように、弾性部材により形成される取付部材５が撓ることによってこれを吸収し、剥がれにくくなる。これに対し、取付部材５が硬質の場合には、図３（ａ）に示すように、上端が回転の中心になってステープラ針３が抜けやすくなり、挟持具２が壁面１２から剥がれやすくなる。
【００１３】
さらに、取付部材５を板状に形成し、辺縁近傍に挟持片１の一方を挿入する挟持片挿入開口７を開設し、その挟持片挿入開口７を通じて挟持具２が連結されて辺縁部８に揺動自在に保持されるように壁掛け具６を形成した場合は、図３（ｂ）に示すように下端からの力に対して、辺縁部８で挟持具２が揺動することにより壁面１２からより剥がれにくくなる。加えて、挟持具２を保持する際にステープラ針３の打ち込みによって壁面１２に密着する板状の取付部材５が弾性変形することにより、その弾性復帰力によって挟持具２を壁面１２に押しつけて密着させることが可能になる。
【発明の効果】
【００１４】
以上の説明からも明らかなように、本発明によれば、取り付けても壁面の外観を損なうことなく、石膏ボードなどの脆い壁面に対してもしっかりと取り付けることができる壁掛け具を提供することができる。
【発明を実施するための最良の形態】
【００１５】
図１および２に本発明の実施の形態を示す。
【００１６】
この実施の形態において、壁掛け具６は取付部材５とクリップ（挟持具２）とを有する。取付部材５は、ＰＥＴ樹脂（ポリエチレンテレフタレート）を平面視矩形薄板状にして形成される。この取付部材５の厚さは、壁面１２にステープラ針３が貫通して打ち込まれたときに十分な打ち込み深さを確保でき、ステープラ針３の壁面１２への固定強度に影響を及ぼさない程度で、かつ、成形時等に裂けや折れ曲がりが生じず、後述する使用時における荷重負担に必要な強度が適宜保持される程度である厚さ２５０ミクロン程度にされる。また、取付部材５を形成する上記合成樹脂材は、透明であってエンボス加工が施され、後述するように壁面１２の状態を確認しながらステープラ針３の打ち込みが行えて、壁面１２に取り付けた後も見た目が良好となる上、表面がざらざらしているためにステープラの先端を引っ掛けることができることから安定した打ち込み作業が可能となる。
【００１７】
上述したように平面視矩形の取付部材５の上部には、ステープラ針３を縦向きにしてその幅方向、すなわち横方向に適宜間隔をおいて複数本打ち込むことが可能な広さを備える針打ち込み部１４が形成され、下部のほぼ中央部には、後述する挟持片１が通過可能な程度の幅寸法の横長矩形状の挟持片挿入開口７が形成される。このため、この挟持片挿入開口７を取り囲むように、両側に側辺部５ｂと下端に引っ掛け部（辺縁部８）が形成される。側辺部５ｂは、取付部材５の厚さ方向に適宜の弾性変形能を確保できる程度で、適宜の強度を保てるような幅寸法に形成される。引っ掛け部８は、両側の側辺部５ｂ、５ｂを繋ぐように形成され、後述するようにクリップ２が引っ掛けられ、このクリップ２にカレンダーなどの壁掛け対象物１３を取り付けたときに支えることができる程度の強度を発揮する適宜の幅寸法にされ、図２（ａ）に示すようクリップ２の横幅とほぼ同じ幅寸法に形成される。また、この引っ掛け部８は、クリップ２の挟持片１、１間の間隔よりも縦寸法がやや大きく、吊り下げたときにクリップ２が角度３０度程度の範囲内で揺動可能となるように形成される。上記した取付部材５は、矩形薄板状のＰＥＴ樹脂に横長矩形状の挟持片挿入開口７を打ち抜き加工等により開けることにより形成することができ、製造、構造が簡単である。
【００１８】
クリップ２は、厚さ０．５mm程度の丈夫で錆びにくいステンレス材やばね用ステンレス鋼などの金属薄板を折り曲げ加工等することにより側面視略Ｕ字状に形成される。また、クリップ２はＵ字状をなす両側の挟持片１、１と、この挟持片１、１の基端に位置する連結基端部４とを有する。各挟持片１は、ほぼ平板状に形成され、上述した取付部材５によって壁面１２に取り付けた状態で壁面１２正面側に位置する前面挟持片１Ａと、壁面１２側に位置する後面挟持片１Ｂとで構成される。前面挟持片１Ａは、先端部にプレス加工等で半球状に膨隆させて形成される挟み部９を有し、一方、後面挟持片１Ｂには前面挟持片１Ａの挟み部９に対抗する位置に向き合うように同様の挟み部９が形成され、互いの挟み部９、９の半球状の頂部で接して間に壁掛け対象物１３を挟む。
【００１９】
また、後面挟持片１Ｂは、図１（ｄ）に示すように前面挟持片１Ａよりも長寸で、挟み部９よりも先端側には、図１（ｃ）に示すようにクリップ２の正面視において前面挟持片１Ａの下側に突出するように舌片部１６が形成される。さらに、舌片部１６の先端には、挟み部９で挟み付けようとする際に壁面１２と壁面側の後面挟持片１Ｂとの間に壁掛け対象物１３が入り込まないようにするために、壁面１２側に傾斜するテーパ部１７が形成される。
【００２０】
以上の取付部材５とクリップ２の連結は、先ず、挟持片挿入開口７の上方すなわち針打ち込み部５ａ側からクリップ２の後面挟持片１Ｂを挟持片挿入開口７へ滑り込ませる。次に、取付部材５を上方へ、またはクリップ２を下方へどちらか移動させ、挟み部９に引っ掛け部８が通過するまでさらに移動させる。これにより引っ掛け部１４を挟み部９の内方に移動させることができ、取付部材５の引っ掛け部８にクリップ２の連結基端部４を引っ掛けることができる。
【００２１】
壁面１２への壁掛け具６の取り付けは、図示しないステープラにより取付部材５を介して壁面１２にステープラ針３を打ち込むことにより行う。ステープラ針３は、軟鉄、あるいは丈夫で錆びないステンレスのものが用いられ、画鋲等に比べて壁面１２に空く穴が小さく、また矩形断面であるために目視ではより確認が困難である。
【００２２】
取り付けは、まず、取付部材５の裏面を壁面１２に押し当てた状態で、クリンチホルダを予めほぼ１８０度程度開放したステープラの先端を縦向きＩ字状や横向き一字状などの適宜のステープラ針３の打ち込み姿勢にし、打ち込まれるステープラ針３によって壁掛け具６を支持する際にバランスが取れる適宜の位置に当てる。次に、ステープラのハンドルを押し下げ、取付部材５を貫通して壁面１２にステープラ針３の打ち込みを行う。支える壁掛け対象物１３の重量等使用に際し必要とされる支持荷重に合わせて打ち込みの本数を調節する。針打ち込み部５ａ上で複数のステープラ針３が均等間隔に配置されるようにすれば、より荷重負担が偏りにくくなる。また、図２（ｂ）に示すように後面挟持片１Ｂにより壁面１２に対して取付部材５、すなわち側辺部５ｂが撓ることによって、クリップ２が壁面１２に密着した状態になる。
【００２３】
以上のようにして壁面１２に固定された壁掛け具６への壁掛け対象物１３の取り付けは、クリップ２の挟み部９に壁掛け対象物１３を挟み込こませることにより行う。壁掛け対象物１３を舌片部１６に当て、舌片部１６をガイドにして上方、すなわち挟み部９に向かって移動させる。例えば連結基端部４を上方から指などで押さえておけば、壁掛け対象物１３は挟み部９に当接すると、半球状の曲面を押しのけて挟持片１、１を開き、これにより壁掛け対象物１３の先端が挟み部９、９を通過してこれに挟まれる状態になる。この状態で上述したように壁面１２に密着するクリップ２から吊り下げられる壁掛け対象物１３は、薄い後面挟持片１Ｂを間に挟むようにして壁面１２にほぼ密着する。
【００２４】
取り付けの際、取付部材５を撓らせたり、クリップ２を引っ掛け部８周りに回転させれば、上述した挟み付け作業をより楽に行うことができる。なお、上記のように壁掛け具６を壁面１２に取り付けた後に壁掛け対象物１３を挟み込むことも可能であるが、壁掛け具６を壁面１２に取り付ける前に予め挟み込みをしてから壁面１２に壁掛け具６を取り付けるようにしても良い。
【００２５】
また、壁掛け具６への壁掛け対象物１３の取り付け、取り外しの際に、壁掛け対象物１３を手前に引っ張る等の力が加わっても、クリップ２が引っ掛け部８周りに揺動し、側辺部５ｂも撓るために、ステープラ針３が抜けるようなことはなく、壁掛け具６が壁面１２から剥がれることはない。さらに、壁掛け対象物１３の壁掛け具６からの取り外しは、壁掛け対象物１３をクリップ２の開放方向に単に引っ張れば良く、曲面からなる挟み部９を滑るようにして壁掛け対象物１３がクリップ２から外れる。加えて、壁掛け具６の壁面１２からの取り外しは、取付部材５と壁面１２との間に適宜のへら等を差し込むことにより容易に外すことができる。
【００２６】
なお、図１（ｄ）等に示す１８は両面テープ１８であり、これによりクリップ２をより強固に壁面１２に固定することも可能である。
【００２７】
また、以上の実施の形態に示す以外に、ステープラ針３を横方向に向けて針打ち込み部５ａに縦方向に並べるようにして複数本打ち込むようにしても良く、さらに、ステープラ針３を取付部材５を貫通させずに壁面１２に直接打ち込み、ステープラ針肩３ａにより取付部材５を壁面１２に対して押し当てるようにして取付部材５およびクリップ２を壁面１２に固定することもできる。
【図面の簡単な説明】
【００２８】
【図１】壁掛け具の構成部品を示す図で、（ａ）は取付部材の正面図、（ｂ）は取付部材の側面図、（ｃ）は挟持具の正面図、（ｄ）は挟持具の側面図である。
【図２】壁掛け具の壁面への取付状態を示す図で、（ａ）は正面図、（ｂ）は、要部縦断面図である。
【図３】壁掛け対象物により壁面から離れる方向に力が加わった状態を示すスケルトン図で、（ａ）は取付部材が硬質の場合を示す図、（ｂ）は本発明を示す図である。
【符号の説明】
【００２９】
１  挟持片
２  挟持具
３  ステープラ針
４  連結基端部
５  取付部材
６  壁掛け具
７  挟持片挿入開口
８  辺縁部
９  挟み部
【図１】
2007069458.tif 000003
【図２】
2007069458.tif 000004
【図３】
2007069458.tif 000005